(57)【要約】【課題】  電気機器の利用者が作業を行うことなく、利用者登録を行うことができるとともに、故障に関する情報を自動的に登録することができる電気機器情報登録システムおよび電気機器情報登録方法を提供する。【解決手段】  利用者電気機器１００の電源プラグがコンセントに差し込まれると、利用者電気機器１００は、電力線ネットワーク１０、利用者情報サーバ２００および通信ネットワーク１１を介して登録サーバ３００に識別番号情報を送信する。利用者情報サーバ２００は、通信ネットワーク１１を介して、記憶する利用者情報を登録サーバ３００に送信する。登録サーバ３００は、受信した利用者情報に基づいて利用者識別番号を生成するとともに、受信した識別番号情報、利用者情報および利用者識別番号とを対応付けてデータベースに格納することにより、利用者情報に示される利用者を、識別番号情報に示される利用者電気機器の利用者として登録する。【選択図】  図１
2007034840.tif 000002
【特許請求の範囲】
【請求項１】
電力線ネットワーク、電気機器の利用者情報を記憶する利用者情報格納サーバ装置および通信ネットワークを介して通信可能に接続された電気機器の利用者登録を行う登録サーバ装置を備えた電気機器情報登録システムであって、
利用者によって利用される電気機器と、
前記利用者情報格納サーバ装置とを備え、
前記電気機器は、
コンセントに差し込まれた際に通電する電源プラグと、
前記電源プラグがコンセントに差し込まれた際に、電気機器を一意に識別可能な識別番号情報を前記登録サーバ装置に送信する識別番号情報送信手段と、
当該電気機器の利用者情報を前記登録サーバ装置に送信することを要求する情報を、前記利用者情報格納サーバ装置に送信する利用者情報送信要求手段と、
前記登録サーバ装置によって送信される情報であって利用者を一意に識別可能な利用者識別情報を受信して記憶する利用者識別情報記憶手段とを備え、
前記利用者情報格納サーバ装置は、
前記利用者情報送信要求手段が送信する要求に応じて、あらかじめ記憶する利用者情報を検索して抽出し、前記登録サーバ装置に送信する利用者情報送信手段を備え、
前記登録サーバ装置は、
前記利用者情報送信手段によって送信された利用者情報に基づいて利用者識別情報を生成するとともに、利用者情報と生成した利用者識別情報と前記識別番号情報送信手段によって送信された識別番号情報とを対応付けて記憶する登録情報格納手段と、
利用者識別情報を含む情報であって利用者登録が完了したことを示す利用者登録完了情報を前記電気機器に送信する利用者登録完了情報送信手段と
を備えることを特徴とする電気機器情報登録システム。
【請求項２】
電源プラグがコンセントに差し込まれた際に、あらかじめ記憶する認証用情報を利用者情報格納サーバ装置に送信する認証用情報送信手段を備え、
利用者情報送信手段は、前記認証用情報送信手段から受信した認証用情報に基づいて、あらかじめ記憶する利用者情報を検索して抽出する
請求項１記載の電気機器情報登録システム。
【請求項３】
電気機器は、
自身の故障を検出する故障検出手段と、
前記故障検出手段が故障を検出した場合に、識別番号情報を含む情報であって故障時の状況を示す故障時情報を生成し、生成した故障時情報と利用者識別情報記憶手段に記憶する利用者識別情報とを登録サーバ装置に送信する故障時情報送信手段と、
故障に関する情報を含む故障通知情報を受信して、利用者に故障を通知する故障通知手段とを備え、
前記登録サーバ装置は、
前記故障時情報送信手段によって送信された故障時情報を利用者識別情報および識別番号情報に対応付けて記憶する故障時情報格納手段と、
前記故障時情報送信手段によって送信された故障時情報に基づいて故障通知情報を生成し、前記電気機器に送信する故障通知情報送信手段とを備える
請求項１または請求項２記載の電気機器情報登録システム。
【請求項４】
電力線ネットワークと通信ネットワークとを介して接続された電気機器を一意に識別可能な識別番号情報と、前記電気機器の利用者の個人情報を示す利用者情報とを対応付けて記憶するとともに、識別番号情報を含む情報であって故障時の状況を示す故障時情報を登録する登録サーバ装置を備えた電気機器情報登録システムであって、
利用者によって利用される電気機器を備え、
前記電気機器は、
自身の故障を検出する故障検出手段と、
前記故障検出手段が故障を検出した場合に、故障時情報を生成するとともに、生成した故障時情報とあらかじめ記憶する情報であって利用者を一意に識別可能な利用者識別情報とを登録サーバ装置に送信する故障時情報送信手段と、
故障に関する情報を含む故障通知情報を受信して、利用者に故障を通知する故障通知手段を備え、
前記登録サーバ装置は、
前記故障時情報送信手段によって送信された故障時情報を利用者識別情報および識別番号情報に対応付けて記憶する故障時情報格納手段と、
前記故障時情報送信手段によって送信された故障時情報に基づいて故障通知情報を生成し、前記電気機器に送信する故障通知情報送信手段と
を備えることを特徴とする電気機器情報登録システム。
【請求項５】
電力線ネットワーク、電気機器の利用者情報を記憶する利用者情報格納サーバ装置および通信ネットワークを介して通信可能に接続された電気機器の利用者登録を行う電気機器情報登録方法であって、
前記電気機器が、電源プラグがコンセントに差し込まれた際に、電気機器を一意に識別可能な識別番号情報を、利用者情報格納サーバ装置を介して登録サーバ装置に送信し、
前記電気機器が、当該電気機器の利用者情報を送信することを要求する情報を前記利用者情報格納サーバ装置に送信し、
前記利用者情報格納サーバ装置が、前記電気機器によって送信された要求に応じて、あらかじめ記憶する利用者情報を抽出して送信し、
前記登録サーバ装置が、前記利用者情報格納サーバ装置によって送信された利用者情報に基づいて利用者を一意に識別可能な利用者識別情報を生成するとともに、利用者情報と生成した利用者識別情報と前記電気機器によって送信された識別番号情報とを対応付けて記憶し、
前記登録サーバ装置が、利用者識別情報を含む情報であって利用者登録が完了したことを示す利用者登録完了情報を前記電気機器に送信し、
前記電気機器が、送信された利用者識別情報を受信して記憶する
ことを特徴とする電気機器情報登録方法。
【請求項６】
電気機器が、電源プラグがコンセントに差し込まれた際に、あらかじめ記憶する認証用情報を利用者情報格納サーバ装置に送信し、
利用者情報格納サーバ装置が、前記電気機器によって送信された認証用情報に基づいて、あらかじめ記憶する利用者情報を検索して抽出する
請求項５記載の電気機器情報登録方法。
【請求項７】
電気機器が、自身の故障を検出し、故障を検出した場合に、識別番号情報を含む情報であって故障時の状況を示す故障時情報を生成し、生成した故障時情報と記憶する利用者識別情報とを送信し、
登録サーバ装置が、前記電気機器によって送信された故障時情報を利用者識別情報および識別番号情報に対応付けて記憶し、
前記登録サーバ装置が、前記電気機器によって送信された故障時情報に基づいて故障に関する情報を含む故障通知情報を生成し、前記電気機器に送信し、
前記電気機器が、故障通知情報を受信して、利用者に故障を通知する
請求項５または請求項６記載の電気機器情報登録方法。
【請求項８】
電力線ネットワークと通信ネットワークとを介して接続された電気機器を一意に識別可能な識別番号情報と、前記電気機器の利用者の個人情報を示す利用者情報とを対応付けて記憶するとともに、識別番号情報を含む情報であって故障時の状況を示す故障時情報を登録する登録サーバ装置を用いた電気機器情報登録方法であって、
前記電気機器が、自身の故障を検出し、故障を検出した場合に、故障時情報を生成し、生成した故障時情報とあらかじめ記憶する情報であって利用者を一意に識別可能な利用者識別情報とを送信し、
登録サーバ装置が、前記電気機器によって送信された故障時情報を利用者識別情報および識別番号情報に対応付けて記憶し、
前記登録サーバ装置が、前記電気機器によって送信された故障時情報に基づいて故障に関する情報を含む故障通知情報を生成し、前記電気機器に送信し、
前記電気機器が、故障通知情報を受信して利用者に故障を通知する
ことを特徴とする電気機器情報登録方法。
【請求項９】
電力線ネットワーク、電気機器の利用者情報を記憶する利用者情報格納サーバ装置および通信ネットワークを介して通信可能に接続された登録サーバ装置に利用者登録を行う電気機器であって、
コンセントに差し込まれた際に通電する電源プラグと、
前記電源プラグがコンセントに差し込まれた際に、電気機器を一意に識別可能な識別番号情報を前記登録サーバ装置に送信する識別番号情報送信手段と、
当該電気機器の利用者情報を前記登録サーバ装置に送信することを要求する情報を、前記利用者情報格納サーバ装置に送信する利用者情報送信要求手段と、
前記登録サーバ装置によって送信される情報であって利用者を一意に識別可能な利用者識別情報を受信して記憶する利用者識別情報記憶手段と
を備えることを特徴とする電気機器。
【請求項１０】
自身の故障を検出する故障検出手段と、
前記故障検出手段が故障を検出した場合に、識別番号情報を含む情報であって故障時の状況を示す故障時情報を生成し、生成した故障時情報と利用者識別情報記憶手段に記憶する利用者識別情報とを登録サーバ装置に送信する故障時情報送信手段と、
登録サーバ装置から故障に関する情報を含む故障通知情報を受信して、利用者に故障を通知する故障通知手段とを備える
請求項９記載の電気機器。
【請求項１１】
電力線ネットワーク、電気機器の利用者情報を記憶する利用者情報格納サーバ装置および通信ネットワークを介して通信可能に接続された登録サーバ装置に利用者登録を行う電気機器が備えるコンピュータに搭載される電気機器情報登録プログラムであって、
前記コンピュータに、
前記電気機器が有する電源プラグがコンセントに差し込まれた際に、電気機器を一意に識別可能な識別番号情報を前記登録サーバ装置に送信する処理、
当該電気機器の利用者情報を前記登録サーバ装置に送信することを要求する情報を、前記利用者情報格納サーバ装置に送信する処理、および、
前記登録サーバ装置によって送信される情報であって利用者を一意に識別可能な利用者識別情報を受信して記憶する処理
を実行させるための電気機器情報登録プログラム。
【請求項１２】
電力線ネットワークを介して通信可能に接続された電気機器の利用者情報を記憶し、前記電気機器の利用者登録を行う登録サーバ装置と通信ネットワークを介して通信可能に接続された利用者情報格納サーバ装置であって、
前記電気機器の利用者情報を前記登録サーバ装置に送信することを要求する情報を前記電気機器から受信した場合に、あらかじめ記憶する利用者情報を検索して抽出し、前記登録サーバ装置に送信する利用者情報送信手段を備える
ことを特徴とする利用者情報格納サーバ装置。
【請求項１３】
電力線ネットワークを介して通信可能に接続された電気機器の利用者情報を記憶し、前記電気機器の利用者登録を行う登録サーバ装置と通信ネットワークを介して通信可能に接続されたコンピュータに搭載される利用者情報送信プログラムであって、
前記コンピュータに、
電気機器の利用者情報を前記登録サーバ装置に送信することを要求する情報を前記電気機器から受信した場合に、あらかじめ記憶する利用者情報を検索して抽出し、前記登録サーバ装置に送信する処理を
実行させるための利用者情報送信プログラム。
【発明の詳細な説明】
【技術分野】
【０００１】
本発明は、商品のメーカや販売店等の事業者が自社商品の利用者の顧客情報を収集する利用者登録を自動的に行ったり、あるいは商品の故障に関する情報の登録を自動的に行ったりする電気機器情報登録システム、電気機器情報登録方法、電気機器、電気機器情報登録プログラム、利用者情報格納サーバ装置および利用者情報送信プログラムに関する。
【背景技術】
【０００２】
電子機器等の商品に添付されたはがきやホームページ等の「利用者登録」や「お客様情報登録」などにより、商品のメーカや販売店等の事業者が自社商品の利用者の顧客情報を収集することが一般的に行われている。事業者にとっては、商品企画や販売戦略の立案等に役立てるために、できるだけ多くの顧客情報を収集できることが望ましい。また、利用者は、商品についての情報提供などを目的として登録を行うことが多い。
【０００３】
一般に行われている利用者登録には、大きく分けて二つの方法がある。一つは、利用者が商品に添付されたはがきに必要事項を記入して事業者に郵送し、事業者がはがきの内容を管理する方法である。もう一つは、利用者がインターネット上に開設された事業者のホームページにアクセスして必要事項を入力し、事業者が、利用者から送信されたデータを自社のデータベースなどで管理する方法である。後者は、利用者登録システムとして一般に利用されている。
【０００４】
一般的な利用者登録方法では、利用者が自発的に登録を行うことが必要である。しかし、利用者は、利用者登録のための作業をわずらわしいと感じるなどの理由により、実際には利用者登録を行わないことが多い。その場合、利用者にとっては、故障時に費用の負担が発生したり、有効な情報を得られないなどの問題がある。また、事業者にとっては、顧客情報を十分に収集できないという問題がある。
【０００５】
なお、パーソナルコンピュータ等の電子機器の顧客情報を取得して管理する際に必要となる個体識別情報を自動的に取得し、人手による入力ミスや不正値入力の防止を実現する顧客情報管理システムが提供されている（例えば、特許文献１参照）。
【０００６】
また、電源ネットワークを利用して電化製品の利用場所を把握することにより、不法投棄の抑止や犯罪防止などに利用することができる電源ネットワークシステム及び電化製品が提供されている（例えば、特許文献２参照）。
【０００７】
【特許文献１】特開２０００−１２３０７８号公報（段落００４６−００５２）
【特許文献２】特開２００４−２３４９７号公報（段落００１７−００１９）
【発明の開示】
【発明が解決しようとする課題】
【０００８】
しかし、特許文献１，２に記載された方式では、顧客自身が顧客情報（利用者情報）を手入力したり、電化製品自体に利用者情報を記憶させる必要がある。そのため、利用者登録における不便を解消できない。また、商品の故障に関する情報を自動的に登録できることが好ましい。
【０００９】
そこで、本発明は、電気機器の利用者が容易に利用者登録を行ったり、また、故障に関する情報を自動的に登録したりすることができる電気機器情報登録システム、電気機器情報登録方法、電気機器、電気機器情報登録プログラム、利用者情報格納サーバ装置および利用者情報送信プログラムを提供することを目的とする。
【課題を解決するための手段】
【００１０】
本発明による電気機器情報登録システムは、電力線ネットワーク、電気機器の利用者情報を記憶する利用者情報格納サーバ装置および通信ネットワークを介して通信可能に接続された電気機器の利用者登録を行う登録サーバ装置を備えた電気機器情報登録システムであって、利用者によって利用される電気機器と、利用者情報格納サーバ装置とを備え、電気機器は、コンセントに差し込まれた際に通電する電源プラグと、電源プラグがコンセントに差し込まれた際に、電気機器を一意に識別可能な識別番号情報を登録サーバ装置に送信する識別番号情報送信手段と、電気機器の利用者情報を登録サーバ装置に送信することを要求する情報を、利用者情報格納サーバ装置に送信する利用者情報送信要求手段と、登録サーバ装置によって送信される情報であって利用者を一意に識別可能な利用者識別情報を受信して記憶する利用者識別情報記憶手段とを備え、利用者情報格納サーバ装置は、利用者情報送信要求手段が送信する要求に応じて、あらかじめ記憶する利用者情報を検索して抽出し、登録サーバ装置に送信する利用者情報送信手段を備え、登録サーバ装置は、利用者情報送信手段によって送信された利用者情報に基づいて利用者識別情報を生成するとともに、利用者情報と生成した利用者識別情報と識別番号情報送信手段によって送信された識別番号情報とを対応付けて記憶する登録情報格納手段と、利用者識別情報を含む情報であって利用者登録が完了したことを示す利用者登録完了情報を電気機器に送信する利用者登録完了情報送信手段とを備えることを特徴とする。
【００１１】
電源プラグがコンセントに差し込まれた際に、あらかじめ記憶する認証用情報を利用者情報格納サーバ装置に送信する認証用情報送信手段を備え、利用者情報送信手段は、認証用情報送信手段から受信した認証用情報に基づいて、あらかじめ記憶する利用者情報を検索して抽出してもよい。そのような構成によれば、認証用情報を用いて利用者登録を行うことができる。
【００１２】
電気機器は、自身の故障を検出する故障検出手段と、故障検出手段が故障を検出した場合に、識別番号情報を含む情報であって故障時の状況を示す故障時情報を生成し、生成した故障時情報と利用者識別情報記憶手段に記憶する利用者識別情報とを登録サーバ装置に送信する故障時情報送信手段と、故障に関する情報を含む故障通知情報を受信して、利用者に故障を通知する故障通知手段とを備え、登録サーバ装置は、故障時情報送信手段によって送信された故障時情報を利用者識別情報および識別番号情報に対応付けて記憶する故障時情報格納手段と、故障時情報送信手段によって送信された故障時情報に基づいて故障通知情報を生成し、電気機器に送信する故障通知情報送信手段とを備えてもよい。そのような構成によれば、利用者は、故障時情報を自動的に登録することができるため、故障時の対応が容易になる。また、電気機器の事業者は、故障時情報を効率的に入手することができ、保証サービスに役立てることができる。
【００１３】
本発明による電気機器情報登録システムは、電力線ネットワークと通信ネットワークとを介して接続された電気機器を一意に識別可能な識別番号情報と、電気機器の利用者の個人情報を示す利用者情報とを対応付けて記憶するとともに、識別番号情報を含む情報であって故障時の状況を示す故障時情報を登録する登録サーバ装置を備えた電気機器情報登録システムであって、利用者によって利用される電気機器を備え、電気機器は、自身の故障を検出する故障検出手段と、故障検出手段が故障を検出した場合に、故障時情報を生成するとともに、生成した故障時情報とあらかじめ記憶する情報であって利用者を一意に識別可能な利用者識別情報とを登録サーバ装置に送信する故障時情報送信手段と、故障に関する情報を含む故障通知情報を受信して、利用者に故障を通知する故障通知手段を備え、登録サーバ装置は、故障時情報送信手段によって送信された故障時情報を利用者識別情報および識別番号情報に対応付けて記憶する故障時情報格納手段と、故障時情報送信手段によって送信された故障時情報に基づいて故障通知情報を生成し、電気機器に送信する故障通知情報送信手段とを備えることを特徴とする。
【００１４】
本発明による電気機器情報登録方法は、電力線ネットワーク、電気機器の利用者情報を記憶する利用者情報格納サーバ装置および通信ネットワークを介して通信可能に接続された電気機器の利用者登録を行う電気機器情報登録方法であって、電気機器が、電源プラグがコンセントに差し込まれた際に、電気機器を一意に識別可能な識別番号情報を、利用者情報格納サーバ装置を介して登録サーバ装置に送信し、電気機器が、電気機器の利用者情報を送信することを要求する情報を利用者情報格納サーバ装置に送信し、利用者情報格納サーバ装置が、電気機器によって送信された要求に応じて、あらかじめ記憶する利用者情報を抽出して送信し、登録サーバ装置が、利用者情報格納サーバ装置によって送信された利用者情報に基づいて利用者を一意に識別可能な利用者識別情報を生成するとともに、利用者情報と生成した利用者識別情報と電気機器によって送信された識別番号情報とを対応付けて記憶し、登録サーバ装置が、利用者識別情報を含む情報であって利用者登録が完了したことを示す利用者登録完了情報を電気機器に送信し、電気機器が、送信された利用者識別情報を受信して記憶することを特徴とする。
【００１５】
電気機器が、電源プラグがコンセントに差し込まれた際に、あらかじめ記憶する認証用情報を利用者情報格納サーバ装置に送信し、利用者情報格納サーバ装置が、電気機器によって送信された認証用情報に基づいて、あらかじめ記憶する利用者情報を検索して抽出してもよい。そのような構成によれば、認証用情報を用いて利用者登録を行うことができる。
【００１６】
電気機器が、自身の故障を検出し、故障を検出した場合に、識別番号情報を含む情報であって故障時の状況を示す故障時情報を生成し、生成した故障時情報と記憶する利用者識別情報とを送信し、登録サーバ装置が、電気機器によって送信された故障時情報を利用者識別情報および識別番号情報に対応付けて記憶し、登録サーバ装置が、電気機器によって送信された故障時情報に基づいて故障に関する情報を含む故障通知情報を生成し、電気機器に送信し、電気機器が、故障通知情報を受信して、利用者に故障を通知してもよい。そのような構成によれば、利用者は、故障時情報を自動的に登録することができるため、故障時の対応が容易になる。また、電気機器の事業者は、故障時情報を効率的に入手することができ、保証サービスに役立てることができる。
【００１７】
本発明による電気機器情報登録方法は、電力線ネットワークと通信ネットワークとを介して接続された電気機器を一意に識別可能な識別番号情報と、電気機器の利用者の個人情報を示す利用者情報とを対応付けて記憶するとともに、識別番号情報を含む情報であって故障時の状況を示す故障時情報を登録する登録サーバ装置を用いた電気機器情報登録方法であって、電気機器が、自身の故障を検出し、故障を検出した場合に、故障時情報を生成し、生成した故障時情報とあらかじめ記憶する情報であって利用者を一意に識別可能な利用者識別情報とを送信し、登録サーバ装置が、電気機器によって送信された故障時情報を利用者識別情報および識別番号情報に対応付けて記憶し、登録サーバ装置が、電気機器によって送信された故障時情報に基づいて故障に関する情報を含む故障通知情報を生成し、電気機器に送信し、電気機器が、故障通知情報を受信して利用者に故障を通知することを特徴とする。
【００１８】
本発明による電気機器は、電力線ネットワーク、電気機器の利用者情報を記憶する利用者情報格納サーバ装置および通信ネットワークを介して通信可能に接続された登録サーバ装置に利用者登録を行う電気機器であって、コンセントに差し込まれた際に通電する電源プラグと、電源プラグがコンセントに差し込まれた際に、電気機器を一意に識別可能な識別番号情報を登録サーバ装置に送信する識別番号情報送信手段と、電気機器の利用者情報を登録サーバ装置に送信することを要求する情報を、利用者情報格納サーバ装置に送信する利用者情報送信要求手段と、登録サーバ装置によって送信される情報であって利用者を一意に識別可能な利用者識別情報を受信して記憶する利用者識別情報記憶手段とを備えることを特徴とする。
【００１９】
自身の故障を検出する故障検出手段と、故障検出手段が故障を検出した場合に、識別番号情報を含む情報であって故障時の状況を示す故障時情報を生成し、生成した故障時情報と利用者識別情報記憶手段に記憶する利用者識別情報とを登録サーバ装置に送信する故障時情報送信手段と、登録サーバ装置から故障に関する情報を含む故障通知情報を受信して、利用者に故障を通知する故障通知手段とを備えてもよい。そのような構成によれば、利用者は、故障時情報を自動的に登録することができるため、故障時の対応が容易になる。
【００２０】
本発明による電気機器利用者登録プログラムは、電力線ネットワーク、電気機器の利用者情報を記憶する利用者情報格納サーバ装置および通信ネットワークを介して通信可能に接続された登録サーバ装置に利用者登録を行う電気機器が備えるコンピュータに搭載される電気機器情報登録プログラムであって、コンピュータに、電気機器が有する電源プラグがコンセントに差し込まれた際に、電気機器を一意に識別可能な識別番号情報を登録サーバ装置に送信する処理、電気機器の利用者情報を登録サーバ装置に送信することを要求する情報を、利用者情報格納サーバ装置に送信する処理、および、登録サーバ装置によって送信される情報であって利用者を一意に識別可能な利用者識別情報を受信して記憶する処理を実行させることを特徴とする。
【００２１】
本発明による利用者情報格納サーバ装置は、電力線ネットワークを介して通信可能に接続された電気機器の利用者情報を記憶し、電気機器の利用者登録を行う登録サーバ装置と通信ネットワークを介して通信可能に接続された利用者情報格納サーバ装置であって、電気機器の利用者情報を登録サーバ装置に送信することを要求する情報を電気機器から受信した場合に、あらかじめ記憶する利用者情報を検索して抽出し、登録サーバ装置に送信する利用者情報送信手段を備えることを特徴とする。
【００２２】
本発明による利用者情報送信プログラムは、電力線ネットワークを介して通信可能に接続された電気機器の利用者情報を記憶し、電気機器の利用者登録を行う登録サーバ装置と通信ネットワークを介して通信可能に接続されたコンピュータに搭載される利用者情報送信プログラムであって、コンピュータに、電気機器の利用者情報を登録サーバ装置に送信することを要求する情報を電気機器から受信した場合に、あらかじめ記憶する利用者情報を検索して抽出し、登録サーバ装置に送信する処理を実行させることを特徴とする。
【発明の効果】
【００２３】
本発明によれば、電気機器の購入時に、電源プラグをコンセントに差し込むことによって、自動的に電気機器の利用者登録を行うことができるため、電気機器の利用者は、自発的に行う必要のある利用者登録の煩わしさから解放されるという効果がある。また、電気機器の事業者は、販売した電気機器の顧客情報を効率的に入手することができ、保証サービスやマーケティング等に役立てることができるという効果がある。
【００２４】
また、電気機器の利用者は、故障時に発生した現象や故障時における利用者電気機器の状態などを示す故障時情報を自動的に登録することができるため、故障時の対応が容易になるという効果がある。また、電気機器の事業者は、故障時情報を効率的に入手することができ、保証サービスに役立てることができるという効果がある。
【発明を実施するための最良の形態】
【００２５】
実施の形態１．
以下、本発明の第１の実施の形態を図面を参照して説明する。図１は、本発明による電気機器情報登録システムの第１の実施の形態を示すブロック図である。図１に示す電気機器情報登録システムは、利用者電気機器１００と、サービスプロバイダ２００と、電気機器利用者登録局３００とを備える。
【００２６】
利用者電気機器１００とサービスプロバイダ２００とは、電力線ネットワーク１０を介して接続され、サービスプロバイダ２００と電気機器利用者登録局３００とは、インターネット等の通信ネットワーク１１を介して接続される。したがって、利用者電気機器１００と電気機器利用者登録局３００とは、電力線ネットワーク１０、サービスプロバイダ２００および通信ネットワーク１１を介して、通信可能に接続される。
【００２７】
電力線ネットワーク１０は、電力線通信用のプロトコルに基づいて、利用者電気機器１００とサービスプロバイダ２００との間の接続や双方向のデータ通信を可能にするネットワークである。通信ネットワーク１１は、例えばインターネットで実現され、インターネットにおける通信プロトコルに基づいて、サービスプロバイダ２００と電気機器利用者登録局３００との間のデータ通信を可能にする通信ネットワークである。
【００２８】
図２は、第１の実施の形態における利用者電気機器１００の構成例を示すブロック図である。図２に示す利用者電気機器１００は、制御部１１０と、記憶部１２０と、通信制御部１３０と、電源プラグ１４０とを備える。
【００２９】
制御部１１０は、利用者電気機器１００の各部を制御するＣＰＵ１１１と、ＣＰＵ１１１が実行する各種の制御プログラムや、利用者電気機器を一意に識別可能な識別番号情報などを記憶するメモリ１１２とを含む。メモリ１１２は、例えば、不揮発性メモリで実現される。
【００３０】
制御部１１０は、電源プラグ１４０がコンセントに差し込まれた際に、データ送受信部１３０および電力線ネットワーク１０を介して、記憶部１２０が記憶する「サービスプロバイダ用ユーザＩＤ」をサービスプロバイダ２００に送信する処理を実行する機能を有する。「サービスプロバイダ用ユーザＩＤ」は、利用者がサービスプロバイダ業者との契約を行う際に付与される情報であって、サービスプロバイダ２００が利用者を識別するための情報である。制御部１１０は、利用者情報格納サーバ２００に「サービスプロバイダ用ユーザＩＤ」を送信し、認証を受けることにより、サービスプロバイダ２００や通信ネットワーク１１に接続可能となり、サービスプロバイダ２００および通信ネットワーク１１を介して電気機器利用者登録局３００と通信する処理を実行する機能を有する。
【００３１】
また、制御部１１０は、電気機器利用者登録局３００に、識別番号情報や利用者登録処理の実行を要求する情報である利用者登録要求を送信する処理や、サービスプロバイダ２００に、利用者情報送信処理の実行を要求する情報である利用者情報送信要求を送信する処理を実行する機能を有する。また、制御部１１０は、利用者登録処理が完了したことを示す利用者登録完了情報を受信し、利用者登録完了情報に含まれる利用者識別番号を記憶部１２０に格納する処理を実行する機能を有する。利用者識別番号は、利用者を一意に識別可能な番号である。上記の処理は、ＣＰＵ１１１が、メモリ１１２に格納されたそれらの機能を実現するためのプログラムを実行することによって実現される。
【００３２】
記憶部１２０は、利用者識別番号やサービスプロバイダ用ユーザＩＤを記憶する記憶領域である。サービスプロバイダ用ユーザＩＤは、例えば、利用者が利用者電気機器１０の購入後に、利用者電気機器１０が備えるテンキー等の入力部（図示せず。）を使用して入力することによって、記憶部１２０に記憶される。
【００３３】
通信制御部１３０は、電力線通信用のプロトコルに対応した通信制御部であって、電源プラグ１４０を介して電力線ネットワーク１０に接続し、通信を行うための制御を行う。
【００３４】
電源プラグ１４０は、コンセントに差し込まれた際に通電する。
【００３５】
サービスプロバイダ２００は、インターネット接続業者が運営するサーバ装置であって、電力線ネットワーク１０を介して、利用者電気機器１００を通信ネットワーク１１に接続する。以下、サービスプロバイダ２００を利用者情報格納サーバ２００と表記する。図３は、利用者情報格納サーバ２００の構成例を示すブロック図である。図３に示す利用者情報格納サーバ２００は、制御部２１０と、利用者情報データベース２２０と、電力線通信制御部２３１と、ネットワーク通信制御部２３２とを備える。
【００３６】
制御部２１０は、利用者情報格納サーバ２００の各部を制御するＣＰＵ２１１と、ＣＰＵ２１１が実行する各種の制御プログラムなどを記憶するメモリ２１２とを含む。メモリ２１２は、例えば、不揮発性メモリで実現される。
【００３７】
制御部２１０は、利用者電気機器１００によって送信された「サービスプロバイダ用ユーザＩＤ」を受信し、正規の利用者電気機器によるものと認証した場合に、利用者電気機器１００との通信を開始する処理を実行する機能を有する。制御部２１０は、利用者情報データベース２２０を参照して、利用者電気機器の認証を行ってもよい。
【００３８】
また、制御部２１０は、利用者電気機器１００によって送信された利用者情報送信要求を受信した場合に、利用者情報データベース２２０が記憶する利用者情報を電気機器利用者登録局３００に送信する処理を実行する機能を有する。なお、利用者情報を電気機器利用者登録局３００に送信する処理を実行することについて、利用者電気機器１００の利用者からあらかじめ了解が得られているものとする。上記の処理は、ＣＰＵ２１１が、メモリ２１２に格納された上記の機能を実現するためのプログラムを実行することによって実現される。
【００３９】
利用者情報データベース２２０は、利用者情報を記憶する記憶領域である。利用者情報は、例えば、サービスプロバイダ用ユーザＩＤ、利用者の氏名、住所、電話番号、メールアドレスなどを含む情報である。
【００４０】
電力線通信制御部２３１は、電力線通信用のプロトコルに対応した通信制御部であって、電力線ネットワーク１０を介して通信を行うための制御を行う。ネットワーク通信制御部２３２は、通信ネットワーク１１がインターネットである場合、インターネットにおける通信プロトコルに対応した通信制御部であって、通信ネットワーク１１を介して通信を行うための制御を行う。
【００４１】
電気機器利用者登録局３００は、電気機器メーカや販売店等の電気機器事業者が運営するＷｅｂサーバなどのサーバ装置であって、利用者登録を受け付けるホームページを提供する。以下、電気機器利用者登録局３００を登録サーバ３００と表記する。図４は、登録サーバ３００の構成例を示すブロック図である。図４に示す登録サーバ３００は、制御部３１０と、登録情報データベース３２０と、通信制御部３３０とを備える。
【００４２】
制御部３１０は、登録サーバ３００の各部を制御するＣＰＵ３１１と、ＣＰＵ３１１が実行する各種の制御プログラムなどを記憶するメモリ３１２とを含む。メモリ３１２は、例えば、不揮発性メモリで実現される。
【００４３】
制御部３１０は、利用者電気機器１００によって送信された利用者登録要求を受信した場合に、利用者登録要求を正常に受信し、利用者登録を許可することを示す利用者登録許可応答を送信する処理を実行する機能を有する。また、制御部３１０は、利用者情報格納サーバ２００によって送信された利用者情報に基づいて利用者識別情報を生成するとともに、利用者情報と利用者電気機器１００によって送信された識別番号情報とを登録情報データベース３２０に格納する処理を実行する機能を有する。さらに、制御部３１０は、上記の処理を完了した場合に、利用者識別番号を含む情報である利用者登録完了情報を利用者電気機器１００に送信する処理を実行する機能を有する。上記の処理は、ＣＰＵ３１１が、メモリ３１２に格納されたそれらの機能を実現するためのプログラムを実行することによって実現される。
【００４４】
登録情報データベース３２０は、識別番号情報、利用者情報および利用者識別番号を対応付けて記憶する記憶領域である。
【００４５】
通信制御部３３１は、通信ネットワーク１１がインターネットである場合、インターネットにおける通信プロトコルに対応した通信制御部であって、通信ネットワーク１１を介して通信を行うための制御を行う。
【００４６】
第１の実施の形態において、識別番号情報送信手段および利用者情報送信要求手段は、制御部１１０および通信制御部１３０によって実現される。利用者識別情報記憶手段は、制御部１１０および記憶部１２０によって実現される。利用者情報送信手段は、制御部２１０、利用者情報データベース２２０およびネットワーク通信制御部２３２によって実現される。登録情報格納手段は、制御部３１０および登録情報データベース３２０によって実現される。利用者登録完了情報送信手段は、制御部３１０および通信制御部３３０によって実現される。
【００４７】
次に、図５を参照して第１の実施の形態の動作について説明する。図５は、第１の実施の形態の電気機器情報登録システムの動作を示すシーケンス図である。
【００４８】
利用者電気機器１００の電源プラグ１４０がコンセントに差し込まれると、制御部１１０は、電力線データ通信プロトコルによる通信を開始する（ステップＳ１１）。制御部１１０は、データ送受信部１３０および電力線ネットワーク１０を介して、利用者情報格納サーバ２００に「サービスプロバイダ用ユーザＩＤ」を送信し、認証を受けることにより、利用者情報格納サーバ２００および通信ネットワーク１１に接続可能となる。
【００４９】
制御部１１０は、データ送受信部１３０および電力線ネットワーク１０を介して利用者情報格納サーバ２００に接続し、通信ネットワーク１１を介して登録サーバ３００に利用者登録要求を送信する（ステップＳ１２）。ステップＳ１２において、利用者情報格納サーバ２００は、利用者電気機器１００から利用者登録要求を受信し、登録サーバ３００に送信する。
【００５０】
登録サーバ３００の制御部３１０は、利用者電気機器１００によって送信された利用者登録要求を正常に受信すると、通信制御部３３０、通信ネットワーク１１および電力線ネットワーク１０を介して、利用者電気機器１００に利用者登録許可応答を送信する（ステップＳ１３）。ステップＳ１３において、利用者情報格納サーバ２００は、登録サーバ３００から利用者登録許可応答を受信し、利用者電気機器１００に送信する。
【００５１】
利用者電気機器１００の制御部１１０は、利用者登録許可応答を受信すると、データ送受信部１３０、電力線ネットワーク１０および通信ネットワーク１１を介して、登録サーバ３００に利用者電気機器１００の識別番号情報を送信する。登録サーバ３００の制御部３１０は、利用者電気機器１００によって送信された識別番号情報を受信する（ステップＳ１４）。ステップＳ１４において、利用者情報格納サーバ２００は、利用者電気機器１００から識別番号情報を受信し、登録サーバ３００に送信する。
【００５２】
さらに、利用者電気機器１００の制御部１１０は、電力線ネットワーク１０を介して、利用者情報格納サーバ２００に利用者情報送信要求を送信する（ステップＳ１５）。
【００５３】
利用者情報格納サーバ２００の制御部２１０は、電力線ネットワーク１０および電力線通信制御部２３１を介して利用者電気機器１００によって送信された利用者情報送信要求を受信すると、ステップＳ１１において利用者電気機器１００から受信した「サービスプロバイダ用ユーザＩＤ」に基づいて利用者情報データベース２２０を検索し、該当する利用者情報を抽出する。制御部２１０は、ネットワーク通信制御部２３２および通信ネットワーク１１を介して、抽出した利用者情報を登録サーバ３００に送信する。登録サーバ３００の制御部３１０は、利用者情報格納サーバ２００によって送信された利用者情報を受信する（ステップＳ１６）。
【００５４】
利用者電気機器１００によって送信された識別番号情報と利用者情報格納サーバ２００によって送信された利用者情報とを受信すると、登録サーバ３００の制御部３１０は、保証登録処理を行う（ステップＳ１７）。保証登録処理とは、受信した利用者情報に基づいて利用者識別番号を生成するとともに、受信した識別番号情報、利用者情報および利用者識別番号とを対応付けて登録情報データベース３２０に格納することにより、利用者情報に示される利用者を、識別番号情報に示される利用者電気機器の利用者として登録する処理である。
【００５５】
登録サーバ３００の制御部３１０は、ステップＳ１７における保証登録処理を完了すると、通信制御部３３０、通信ネットワーク１１および電力線ネットワーク１０を介して、利用者登録完了情報を利用者電気機器１００に送信する。利用者登録完了情報は、利用者識別番号を含む情報である。利用者電気機器１００の制御部１１０は、利用者登録完了情報を受信すると、利用者登録完了情報に含まれる利用者識別番号を記憶部１２０に格納し、一連の処理を終了する（ステップＳ１８）。
【００５６】
以上に説明したように、上記の第１の実施の形態によれば、電気機器の購入時に、電源プラグをコンセントに差し込み、簡単な操作を行うだけで、自動的に電気機器の利用者登録を行うことができるという効果がある。そのため、電気機器の利用者は、自発的に行う必要のある利用者登録の煩わしさから解放される。また、電気機器の事業者は、販売した電気機器の顧客情報を効率的に入手することができ、保証サービスやマーケティング等に役立てることができる。
【００５７】
実施の形態２．
次に、本発明の第２の実施の形態について説明する。第２の実施の形態では、上記の第１の実施の形態における利用者登録処理が完了していることを前提とし、利用者電気機器の故障が発生した場合に、故障時に発生した現象や故障時における利用者電気機器の状態などを示す故障時情報を、登録サーバに登録する故障時情報登録処理について説明する。なお、第２の実施の形態の電気機器情報登録システムの構成は、第１の実施の形態と同様である（図１参照。）ため、説明を省略する。
【００５８】
図６は、第２の実施の形態における利用者電気機器の構成例を示すブロック図である。図６に示す利用者電気機器１００は、制御部１１０と、記憶部１２０と、通信制御部１３０と、電源プラグ１４０と、故障検出部４１０と、表示部４２０を備える。第１の実施の形態における利用者電気機器１００と同様の構成部については、図２と同一の符号を付し、説明を省略する。
【００５９】
故障検出部４１０は、利用者電気機器１００の故障を検出する。例えば、利用者電気機器１００が冷蔵庫である場合に、冷蔵庫内部に取り付けられた温度センサが、冷蔵庫内部の温度が規定値よりも高いことを検出すると、故障検出部４１０は、故障が生じていると判定する。この場合、温度センサが故障検出部４１０に相当する。
【００６０】
故障検出部４１０による故障検出の態様は、上記の例に限定されない。故障検出部４１０は、利用者電気機器１００の種類に応じた態様で故障を検出すればよい。また、利用者電気機器１００は、複数の故障検出部を有してもよい。
【００６１】
表示部４２０は、例えば、液晶表示装置や有機ＥＬ（Ｅｌｅｃｔｒｏｌｕｍｉｎｅｓｃｅｎｃｅ）ディスプレイ装置等のディスプレイ装置で実現される。表示部４２０は、登録サーバ３００から送信された故障時情報登録完了情報（故障通知情報）を受信した場合に、受信した故障時情報登録完了情報を表示する。故障時情報登録完了情報は、利用者電気機器の故障時情報の登録が完了したことを通知するとともに、修理について電気機器事業者に問い合わせるよう利用者に促す内容の情報を含んでいてもよい。
【００６２】
本実施の形態では、制御部１１０は、故障検出部４１０が利用者電気機器１００の故障を検出した場合に、識別番号情報を含む情報である故障時情報を生成するとともに、登録サーバ３００に利用者識別番号と故障時情報登録処理の実行を要求する情報である故障時情報登録要求とを送信する処理を実行する機能を有する。また、制御部１１０は、故障時情報登録処理が完了したことを示す情報である故障時情報登録完了情報を受信し、故障時情報登録完了情報を表示部４２０に表示する処理を実行する機能を有する。上記の処理は、ＣＰＵ１１１が、メモリ１１２に格納されたそれらの機能を実現するためのプログラムを実行することによって実現される。
【００６３】
第２の実施の形態における登録サーバ３００の構成は、第１の実施の形態と同様である（図４参照。）。ただし、登録サーバ３００の制御部３１０は、利用者電気機器１００によって送信された故障時情報登録要求を受信した場合に、故障時情報登録要求を正常に受信し、故障時情報登録を許可することを示す故障時情報登録許可応答を送信する処理を実行する機能を有する。また、制御部３１０は、利用者電気機器１００によって送信された利用者識別番号と故障時情報とを受信して、登録情報データベース３２０に格納する処理を実行する機能を有する。
【００６４】
さらに、制御部３１０は、故障時情報登録完了情報を生成して利用者電気機器１００に送信する処理を実行する機能を有する。故障時情報登録完了情報は、受信した故障時情報に対応する内容の情報であって、定型的な文章やエラーコード番号などである。この場合、登録サーバ３００は、故障時情報と故障時情報登録完了情報とを対応付けてデータベース等にあらかじめ記憶し、制御部３１０は、受信した故障時情報に基づいてデータベースを検索し、故障時情報登録完了情報を生成してもよい。
【００６５】
上記の処理は、ＣＰＵ３１１が、メモリ３１２に格納されたそれらの機能を実現するためのプログラムを実行することによって実現される。
【００６６】
登録情報データベース３２０は、識別番号情報、利用者情報、利用者識別番号および故障時情報を対応付けて記憶する記憶領域である。
【００６７】
なお、本実施の形態における利用者情報格納サーバ２００の構成は、第１の実施の形態における構成と同様であるため（図３参照。）、説明を省略する。
【００６８】
第２の実施の形態において、故障時情報送信手段は、制御部１１０および故障検出部４１０によって実現される。表示手段は、制御部１１０および表示部４２０によって実現される。故障時情報格納手段は、制御部３１０および登録情報データベース３２０によって実現される。故障通知情報送信手段は、制御部３１０および通信制御部３３０によって実現される。
【００６９】
次に、図７を参照して第２の実施の形態の動作について説明する。図７は、第２の実施の形態の電気機器情報登録システムの動作を示すシーケンス図である。
【００７０】
利用者電気機器１００の故障検出部４１０が、利用者電気機器４００の故障を検出すると（ステップＳ２１）、制御部１１０は、データ送受信部１３０および電力線ネットワーク１０を介して利用者情報格納サーバ２００に接続し、通信ネットワーク１１を介して登録サーバ３００に、故障時情報登録要求と記憶部１２０に記憶する利用者識別番号とを送信する（ステップＳ２２）。ステップＳ２２において、利用者情報格納サーバ２００は、利用者電気機器１００から故障時情報登録要求と利用者識別番号とを受信し、登録サーバ３００に送信する。
【００７１】
登録サーバ３００の制御部３１０は、利用者電気機器１００によって送信された故障時情報登録要求を正常に受信すると、通信制御部３３０、通信ネットワーク１１および電力線ネットワーク１０を介して、利用者電気機器１００に故障時情報登録許可応答を送信する（ステップＳ２３）。ステップＳ２３において、利用者情報格納サーバ２００は、登録サーバ３００から故障時情報登録許可応答を受信し、利用者電気機器１００に送信する。
【００７２】
利用者電気機器１００の制御部１１０は、故障時情報登録許可応答を受信すると、データ送受信部１３０、電力線ネットワーク１０および通信ネットワーク１１を介して、登録サーバ３００に故障時情報を送信する。登録サーバ３００の制御部３１０は、利用者電気機器１００によって送信された故障時情報を受信して、登録情報データベース３２０に格納する（ステップＳ２４）。ステップＳ２４において、利用者情報格納サーバ２００は、利用者電気機器１００から故障時情報を受信し、登録サーバ３００に送信する。
【００７３】
登録サーバ３００の制御部３１０は、故障時情報登録完了情報を生成して、通信制御部３３０、通信ネットワーク１１および電力線ネットワーク１０を介して、生成した故障時情報登録完了情報を利用者電気機器１００に送信する（ステップＳ２５）。ステップＳ２５において、利用者情報格納サーバ２００は、登録サーバ３００から故障時情報登録完了情報を受信し、利用者電気機器１００に送信する。
【００７４】
利用者電気機器１００の制御部１１０は、故障時情報登録完了情報を受信すると、故障時情報登録完了情報を表示部４２０に表示し、一連の処理を終了する（ステップＳ２６）。
【００７５】
なお、上記の第２の実施の形態では、表示部としてディスプレイ装置を例示しているが、警告灯などであってもよい。その場合、故障時情報登録完了情報は、例えば、警告フラグを含む情報であって、警告フラグが０の場合には処理を実行せず、警告フラグが１の場合には警告灯を点灯させてもよい。
【００７６】
以上に説明したように、上記の第２の実施の形態によれば、第１の実施の形態による効果に加えて、電気機器の利用者は、故障時に発生した現象や故障時における利用者電気機器の状態などを示す故障時情報を自動的に登録することができるため、故障時の対応が容易になる。また、電気機器の事業者は、故障時情報を効率的に入手することができ、保証サービスに役立てることができる。
【産業上の利用可能性】
【００７７】
本発明は、電気機器の識別番号情報と電気機器の利用者の利用者情報とを登録する利用者登録に適用することができ、特に、利用者登録を自動的に行う場合に効果的に適用できる。
【図面の簡単な説明】
【００７８】
【図１】本発明による電気機器情報登録システムの第１の実施の形態を示すブロック図である。
【図２】第１の実施の形態における利用者電気機器の構成例を示すブロック図である。
【図３】利用者情報格納サーバの構成例を示すブロック図である。
【図４】登録サーバの構成例を示すブロック図である。
【図５】第１の実施の形態の電気機器情報登録システムの動作を示すシーケンス図である。
【図６】第２の実施の形態における利用者電気機器の構成例を示すブロック図である。
【図７】第２の実施の形態の電気機器情報登録システムの動作を示すシーケンス図である。
【符号の説明】
【００７９】
１０  電力線ネットワーク
１１  通信ネットワーク
１００  利用者電気機器
２００  サービスプロバイダ（利用者情報格納サーバ）
３００  電気機器利用者登録局（登録サーバ）
【図１】
2007034840.tif 000003
【図２】
2007034840.tif 000004
【図３】
2007034840.tif 000005
【図４】
2007034840.tif 000006
【図５】
2007034840.tif 000007
【図６】
2007034840.tif 000008
【図７】
2007034840.tif 000009